(57)【要約】【課題】遊技機への取り付けに関する汎用性を高めることが可能な不正防止部材および遊技機を提供する。【解決手段】不正防止部材４０は、本体部４１と、本体部４１から長さ方向の一方向に部分的に突出する２つの突出片４２と、２つの突出片４２の各々の先端部にて部分的に幅広になるように張り出して形成される爪４３と、を備えている。また、不正防止部材４０は、本体部４１から長さ手方向の他方向に延在する延在部４６と、延在部４６の上面４６ａに形成されたリブ４７と、を備えている。【選択図】図６
2010136939.tif 000002
【特許請求の範囲】
【請求項１】
外枠と当該外枠に開閉自在に装着される内枠と当該内枠に保持される遊技盤とを備え、当該遊技盤から排出される遊技球を機外に導くための樋部材の下流端の位置に対応して当該内枠の底面部材に開口部を有し、当該開口部に、当該樋部材により画成される第１の内部空間以外の第２の内部空間に連通する隙間が形成される遊技機に用いられる不正防止部材であって、
本体部と、
前記本体部に形成され、当該本体部から一方向に延在して構成される延在部と、
前記本体部に形成され、当該本体部から前記一方向とは異なる他方向に突出する突出片を有し、前記底面部材の前記開口部と係合して当該本体部および前記延在部を当該底面部材に取り付ける爪を当該突出片の先端部に有する爪取り付け部と、
を備え、
前記底面部材の前記開口部に前記爪取り付け部によって取り付けられることにより前記開口部の前記隙間からの不正治具の進入を抑制することを特徴とする不正防止部材。
【請求項２】
前記本体部は、前記底面部材の前記開口部に前記爪取り付け部により取り付けられると、前記樋部材の下流端に位置する端面を覆うことを特徴とする請求項１に記載の不正防止部材。
【請求項３】
前記本体部は、前記開口部の前記隙間から差し込み不可な形状に形成され、
前記延在部は、前記開口部の前記隙間から差し込み可能な形状に形成されていることを特徴とする請求項１または２に記載の不正防止部材。
【請求項４】
前記爪取り付け部の前記爪は、前記樋部材が位置する面である前記底面部材の内面と係合して前記本体部および前記延在部を当該底面部材に取り付けることを特徴とする請求項１または２に記載の不正防止部材。
【請求項５】
前記延在部に形成され、先端に行くに従って厚さが減少していくテーパー部をさらに備えることを特徴とする請求項１または２に記載の不正防止部材。
【請求項６】
外枠と当該外枠に開閉自在に装着される内枠と当該内枠に保持される遊技盤とを備え、当該遊技盤から排出される遊技球を機外に導くための樋部材の下流端の位置に対応して当該内枠の底面部材に開口部を有し、当該開口部に、当該樋部材により画成される第１の内部空間以外の第２の内部空間に連通する隙間が形成される遊技機であって、
本体部と、
前記本体部に形成され、当該本体部から一方向に延在して構成される延在部と、
前記本体部に形成され、当該本体部から前記一方向とは異なる他方向に突出する突出片と、
前記突出片の先端部に形成され、前記底面部材の前記開口部と係合して前記本体部および前記延在部を当該底面部材に取り付ける爪と、
を備え、
前記底面部材の前記開口部に前記本体部が前記爪によって取り付けられることにより前記開口部の前記隙間からの不正治具の進入を抑制することを特徴とする遊技機。
【請求項７】
前記本体部は、前記樋部材の下流端に位置する端面を覆うことを特徴とする請求項６に記載の遊技機。
【発明の詳細な説明】
【技術分野】
【０００１】
本発明は、例えばパチンコ遊技機等の遊技機に対する不正行為を防止するのに用いられる不正防止部材および遊技機に関するものである。
【背景技術】
【０００２】
パチンコ遊技機等の遊技機では、遊技球が始動口等の役物に入賞することにより大当たりの抽選が行われる。そして、大当たりに当選した場合には、遊技機は、大入賞口が開放されて、多くの賞球を獲得し得る大当たり遊技状態となる。したがって、遊技機が設置されたホールでは、遊技者は、遊技機を大当たり遊技状態にすべく、遊技球を打つことで入賞による大当たりの抽選が行われるように遊技を行う。
【０００３】
ところで、このようなホールでは、通常の遊技をするのではなく、遊技機に生じる隙間から不正治具を侵入させて遊技機を操作する不正行為によって容易に賞球を獲得してしまうことを防止する必要がある。その対策としては、従来から種々の構造が提案されている（例えば、特許文献１参照）。
この特許文献１には、パチンコ機の外枠本体の前面下部に固着された幕板の上面に、平板からなる上面カバーをビスで固着する構造が開示されている。さらに説明すると、この上面カバーの後端部を上向きに９０度折り曲げることで、閉止状態の前枠の裏面側に所定高さで起立する平板状の縦壁を形成し、前枠と上面カバーとの合わせ面の隙間を塞いでいる。
【０００４】
【特許文献１】特開２００３−３４００７９号公報
【発明の開示】
【発明が解決しようとする課題】
【０００５】
ここで、不正防止対策のための不正防止部材を遊技機に取り付ける場合には、遊技機を製造する段階と、すでに出荷して例えばホールに設置した後の段階と、が考えられる。したがって、製造段階での事前取り付けのみならず、出荷後の事後的な取り付け（後付け）にも対応可能な不正防止部材が求められる。
【０００６】
本発明は、遊技機への取り付けに関する汎用性を高めることが可能な不正防止部材および遊技機を提供することを目的とする。
【課題を解決するための手段】
【０００７】
かかる目的のもと、本発明が適用される不正防止部材は、外枠１０と当該外枠１０に開閉自在に装着される内枠２０と当該内枠２０に保持される遊技盤１１０とを備え、当該遊技盤１１０から排出される遊技球を機外に導くための樋部材３１の下流端の位置に対応して当該内枠２０の底面部材２７，２８に開口部２９を有し、当該開口部２９に、当該樋部材３１により画成される第１の内部空間３３以外の第２の内部空間３５に連通する隙間３４が形成される遊技機１００に用いられる不正防止部材４０であって、本体部４１と、前記本体部４１に形成され、当該本体部４１から一方向に延在して構成される延在部４６と、前記本体部４１に形成され、当該本体部４１から前記一方向とは異なる他方向に突出する突出片４２を有し、前記底面部材２７，２８の前記開口部２９と係合して当該本体部４１および前記延在部４６を当該底面部材２７，２８に取り付ける爪４３を当該突出片４２の先端部に有する爪取り付け部４４と、を備え、前記底面部材２７，２８の前記開口部２９に前記爪取り付け部４４によって取り付けられることにより前記開口部２９の前記隙間３４からの不正治具の進入を抑制することを特徴とするものである。
【０００８】
ここで、前記本体部４１は、前記底面部材２７，２８の前記開口部２９に前記爪取り付け部４４により取り付けられると、前記樋部材３１の下流端に位置する端面３２ａを覆うことを特徴とすることができる。また、前記本体部４１は、前記開口部２９の前記隙間３４から差し込み不可な形状に形成され、前記延在部４６は、前記開口部２９の前記隙間３４から差し込み可能な形状に形成されていることを特徴とすることができる。また、前記爪取り付け部４４の前記爪４３は、前記樋部材３１が位置する面である前記底面部材２７，２８の内面２７ａと係合して前記本体部４１および前記延在部４６を当該底面部材２７，２８に取り付けることを特徴とすることができる。また、前記延在部４６に形成され、先端に行くに従って厚さが減少していくテーパー部４９をさらに備えることを特徴とすることができる。
【０００９】
他の観点から捉えると、本発明が適用される遊技機は、外枠１０と当該外枠１０に開閉自在に装着される内枠２０と当該内枠２０に保持される遊技盤１１０とを備え、当該遊技盤１１０から排出される遊技球を機外に導くための樋部材３１の下流端の位置に対応して当該内枠２０の底面部材２７，２８に開口部２９を有し、当該開口部２９に、当該樋部材３１により画成される第１の内部空間３３以外の第２の内部空間３５に連通する隙間３４が形成される遊技機１００であって、本体部４１と、前記本体部４１に形成され、当該本体部４１から一方向に延在して構成される延在部４６と、前記本体部４１に形成され、当該本体部４１から前記一方向とは異なる他方向に突出する突出片４２と、前記突出片４２の先端部に形成され、前記底面部材２７，２８の前記開口部２９と係合して前記本体部４１および前記延在部４６を当該底面部材２７，２８に取り付ける爪４３と、を備え、前記底面部材２７，２８の前記開口部２９に前記本体部４１が前記爪４３によって取り付けられることにより前記開口部２９の前記隙間３４からの不正治具の進入を抑制することを特徴とするものである。
【００１０】
ここで、前記本体部４１は、前記樋部材３１の下流端に位置する端面３２ａを覆うことを特徴とすることができる。
【００１１】
なお、本欄における上記符号は、本発明の説明に際して例示的に付したものであり、この符号により本発明が減縮されるものではない。
【発明の効果】
【００１２】
本発明によれば、遊技機への取り付けに関する汎用性を高めることが可能になる。
【発明を実施するための最良の形態】
【００１３】
以下、添付図面を参照して、本発明の実施の形態について詳細に説明する。
〔遊技機の基本構成〕
図１は、本実施の形態に係るパチンコ遊技機１００の概略正面図である。
同図に示す遊技機の一例としてのパチンコ遊技機１００は、遊技者の指示操作により打ち出された遊技球が入賞すると賞球を払い出すように構成されたものである。このパチンコ遊技機１００は、遊技球が打ち出される遊技盤１１０と、遊技盤１１０を囲む枠部材１５０と、を備えている。遊技盤１１０は、枠部材１５０に着脱自在に取り付けられている。
【００１４】
遊技盤１１０は、前面に、遊技球により遊技を行うための遊技領域１１１と、下方から発射された遊技球が上昇して遊技領域１１１の上部位置へ向かう通路を形成するレール部材１１２と、遊技領域１１１の右側に遊技球を案内する案内部材１１３と、を備えている。
本実施の形態では、遊技者により視認され易い遊技領域１１１の位置に、演出のための各種の画像を表示する画像表示部１１４が配設されている。この画像表示部１１４は、遊技者によるゲームの進行に伴い、例えば、図柄抽選結果（図柄変動結果）を遊技者に装飾図柄により報知したり、キャラクタの登場やアイテムの出現による予告演出を表示したりする。なお、画像表示部１１４としては、例えば液晶表示装置、ＥＬ表示装置、ＬＥＤドット表示装置または７セグ表示装置等による構成例が考えられる。
また、本実施の形態では、遊技盤１１０の前面に、各種の演出に用いられる可動役物１１５および盤ランプ１１６を備えている。可動役物１１５は、遊技盤１１０に対して可動に構成され、可動による各種の演出を行い、また、盤ランプ１１６は、発光することで光による各種の演出を行う。
【００１５】
遊技領域１１１には、遊技球が落下する方向に変化を与えるための図示しない遊技くぎおよび風車等が配設されている。また、遊技領域１１１には、入賞や抽選に関する種々の役物が所定の位置に配設されている。また、遊技領域１１１には、遊技領域１１１に打ち出された遊技球のうち入賞口に入賞しなかったものを遊技領域１１１の外に排出する排出口１１７が配設されている。
【００１６】
本実施の形態では、入賞や抽選に関する種々の役物として、遊技球が入ると入賞して特別図柄抽選（大当たり抽選）が始動する第１始動口１２１と、第１始動口１２１の下方に位置し、遊技球が入ると入賞して特別図柄抽選が始動する第２始動口１２２と、遊技球が通過すると普通図柄抽選（開閉抽選）が始動するゲート１２４と、が遊技盤１１０に配設されている。ここにいう第１始動口１２１および第２始動口１２２とは、予め定められた１の特別電動役物（大入賞口１２５）、または予め定められた１の特別図柄表示器の何れかを作動させることとなる遊技球の入賞に係る入賞口をいう。
第２始動口１２２は、チューリップの花の形をした一対の羽根が電動ソレノイドにより開閉すると共に点灯する普通電動役物としての電動チューリップ１２３を備えている。電動チューリップ１２３は、羽根が閉じていると、遊技球は第２始動口１２２へ入り難い一方で、羽根が開くと第２始動口１２２の入口が拡大して遊技球が第２始動口１２２へ入り易くなるように構成されている。そして、電動チューリップ１２３は、普通図柄抽選に当選すると、点灯ないし点滅しながら羽根が規定時間（例えば６秒間）および規定回数（例えば３回）だけ開く。
【００１７】
なお、パチンコ遊技機１００は、所定の条件下で、特別図柄抽選時に大当たりが抽選される大当たり確率が変動する場合（低確状態（例えば３００分の１）から高確状態（例えば３０分の１）への変動）がある。また、パチンコ遊技機１００は、所定の条件下で、特別図柄抽選時の特別図柄変動時間が短縮されたり、普通図柄抽選時の当選する確率が高まったり、普通図柄抽選時の普通図柄変動時間が短縮されたり、電動チューリップ１２３の羽根の開時間が延長されたり、電動チューリップ１２３の羽根が開く回数が増えたりする（電チューサポート）場合がある。
【００１８】
また、本実施の形態では、入賞や抽選に関する種々の役物として、第２始動口１２２の下方に位置し、特別図柄抽選の結果に応じて開放する大入賞口１２５と、遊技球が入賞しても抽選が始動しない普通入賞口１２６と、が遊技盤１１０に配設されている。この大入賞口１２５は、通常は閉状態であるが特別図柄抽選の結果により所定条件（例えば３０秒経過または遊技球１０個の入賞）を満たすまで突出傾斜して開状態が維持されるラウンドを所定回数（例えば１５回または２回）だけ繰り返す。
なお、本実施の形態では、遊技領域１１１に第１始動口１２１および第２始動口１２２が配設されているが、いずれか一方のみを配設する構成例や他の始動口を配設する構成例も考えられる。また、本実施の形態では、遊技領域１１１に大入賞口１２５が１つ配設されているが、大入賞口１２５を複数配設する構成例も考えられる。
本実施の形態では、遊技盤１１０の右下の位置に、抽選結果や保留数に関する表示を行う表示器１３０が配設されている。この表示器１３０の詳細は後述する。
【００１９】
賞球の払い出しについて説明する。第１始動口１２１、第２始動口１２２、大入賞口１２５および普通入賞口１２６に遊技球が入賞すると、遊技球が入賞した場所に応じて、１つの遊技球当たり規定個数の賞球が払い出される。その一例を示すと、第１始動口１２１に遊技球が入賞すると３個の賞球、第２始動口１２２に遊技球が入賞すると４個の賞球、大入賞口１２５に遊技球が入賞すると１３個の賞球、普通入賞口１２６に遊技球が入賞すると１０個の賞球がそれぞれ払い出される。なお、ゲート１２４を遊技球が通過したことを検出しても、それに連動した賞球の払い出しは無い。
【００２０】
枠部材１５０は、遊技者がハンドル１５１に触れてレバー１５２を時計方向に回転させる操作を行うとその操作角度に応じた打球力にて遊技球を所定の時間間隔（例えば１分間に１００個）で電動発射する発射装置（不図示）を備えている。また、枠部材１５０は、遊技者のレバー１５２による操作と連動したタイミングで発射装置に遊技球を１つずつ順に供給する供給装置（不図示）と、供給装置が発射装置に供給する遊技球を一時的に溜めておく皿１５３（図２参照）と、を備えている。この皿１５３には、例えば払い出しユニットによる払出球が払い出される。
なお、本実施の形態では、皿１５３を上下皿一体で構成しているが、上皿と下皿とを分離する構成例も考えられる。また、発射装置のハンドル１５１を所定条件下で発光させる構成例も考えられる。
【００２１】
また、枠部材１５０は、発射装置のハンドル１５１に遊技者が触れている状態であっても遊技球の発射を一時的に停止させるための停止ボタン１５４と、皿１５３に溜まっている遊技球を箱（不図示）に落下させて取り出すための取り出しボタン１５５と、を備えている。
また、枠部材１５０は、パチンコ遊技機１００の遊技状態や状況を告知したり各種の演出を行ったりするスピーカ１５６および枠ランプ１５７を備えている。スピーカ１５６は、楽曲や音声、効果音による各種の演出を行い、また、枠ランプ１５７は、点灯点滅によるパターンや発光色の違い等で光による各種の演出を行う。なお、枠ランプ１５７については、光の照射方向を変更する演出を行うことを可能にする構成例が考えられる。
また、枠部材１５０は、遊技盤１１０を遊技者と隔てるための透明板（不図示）を備えている。
【００２２】
図２は、本実施の形態に係るパチンコ遊技機１００を説明する図であり、（ａ）は、遊技盤１１０の右下に配設された表示器１３０の一例を示す拡大図であり、（ｂ）は、パチンコ遊技機１００の部分平面図である。
パチンコ遊技機１００の表示器１３０は、図２の（ａ）に示すように、第１始動口１２１の入賞に対応して作動する第１特別図柄表示器２２１と、第２始動口１２２の入賞に対応して作動する第２特別図柄表示器２２２と、ゲートの通過に対応して作動する普通図柄表示器２２３と、を備えている。第１特別図柄表示器２２１は、第１始動口１２１の入賞による特別図柄を変動表示しその抽選結果を表示する。第２特別図柄表示器２２２は、第２始動口１２２の入賞による特別図柄を変動表示しその抽選結果を表示する。普通図柄表示器２２３は、遊技球がゲート１２４を通過することにより普通図柄を変動表示しその抽選結果を表示する。なお、本実施の形態では、第１特別図柄表示器２２１および第２特別図柄表示器２２２は、７セグ表示装置で構成され、また、普通図柄表示器２２３は、ＬＥＤ表示装置で構成されている。
【００２３】
また、表示器１３０は、第１特別図柄表示器２２１での保留に対応して作動する第１特別図柄保留表示器２１８と、第２特別図柄表示器２２２での保留に対応して作動する第２特別図柄保留表示器２１９と、普通図柄表示器２２３での保留に対応して作動する普通図柄保留表示器２２０と、を備えている。この保留について説明する。変動表示動作中（入賞１回分の変動表示が行なわれている間）にさらに他の遊技球による入賞があると、その入賞した遊技球に対する図柄の変動表示動作は、先に入賞した遊技球に対する変動表示動作が終了するまで、規定個数（例えば４個）を限度に保留される。このような保留がなされていることおよびその保留の数（未抽選数）が、第１特別図柄保留表示器２１８、第２特別図柄保留表示器２１９および普通図柄保留表示器２２０に表示される。なお、本実施の形態では、第１特別図柄保留表示器２１８、第２特別図柄保留表示器２１９および普通図柄保留表示器２２０の各々は、一列に配設したＬＥＤ表示装置で構成され、その点灯態様によって保留数が表示される。
【００２４】
パチンコ遊技機１００の枠部材１５０は、遊技者が演出に対する入力を行うための入力装置を備えている。図２の（ｂ）に示すように、本実施の形態では、入力装置の一例として、演出ボタン１６１と、演出ボタン１６１に隣接し、略十字に配列された複数のキーからなる演出キー１６２と、が枠部材１５０に配設されている。演出キー１６２は、その中央に１つの中央キーを配置し、また、中央キーの周囲に略同一形状の４つの周囲キーを配置して構成されている。遊技者は、４つの周囲キーを操作することにより、画像表示部１１４に表示されている複数の画像のいずれかを選ぶことが可能であり、また、中央キーを操作することにより、選んだ画像を情報として入力することが可能である。
【００２５】
〔枠部材の構成〕
次に、パチンコ遊技機１００の枠部材１５０の構成について説明する。
図３は、枠部材１５０の構成を説明する斜視図である。
同図に示すように、枠部材１５０は、縦長の所謂フレーム構造である枠部材本体としての外枠１０と、外枠１０に開閉自在に装着される前面枠（内枠）２０と、を備えている。
【００２６】
外枠１０は、４つの金属製の枠部材である右縦枠部材１１、左縦枠部材１２、上横枠部材１３および下横枠部材１４と、外枠１０の四隅に位置し、隣り合う枠部材を相互に連結する角部材１５とを有する。
外枠１０の前面下部には、下横枠部材１４と同じ方向（横方向、左右方向）に延びる幕板１６が取り付けられている。なお、幕板１６の上端の縦方向の位置は、下横枠部材１４の上端の縦方向の位置と略同一である。また、幕板１６の前面（遊技者側の面）には、例えば社名やロゴ等を付すことで意匠的な装飾を施すことが可能である。
また、外枠１０は、前面枠２０が開閉する際に前面枠２０と摺動する樹脂製の摺動部１７を有する。より具体的には、この摺動部１７は、下横枠部材１４に取り付けられている。また、摺動部１７は、下横枠部材１４の上面に位置し、かつ、前面枠２０の回転軸が位置する側とは反対側（同図での右側）に片寄って位置している。そして、摺動部１７は、前面枠２０の遊技盤保持枠２２が閉じている状態で遊技盤保持枠２２の下面と当接して前面枠２０を保持する。このため、前面枠２０が閉じている状態には、前面枠２０と幕板１６との間に、隙間が形成されることになる。
【００２７】
前面枠２０は、上下方向に回転軸が延びるように一側部（図１での左側部）が外枠１０に取り付けられている。付言すると、前面枠２０は、透明板を所定位置に保持する透明板保持枠２１と、遊技盤１１０を所定位置に保持する遊技盤保持枠２２とを備えている。そして、図３に示すように、閉めた状態の透明板保持枠２１および遊技盤保持枠２２を一体で外枠１０に対して回転させて開けることが可能である。また、図示を省略するが、透明板保持枠２１および遊技盤保持枠２２を閉めた状態において、遊技盤保持枠２２を単独で外枠１０および遊技盤保持枠２２に対して回転させて開けることが可能である。
なお、前面枠２０の遊技盤保持枠２２には、外枠１０の右縦枠部材１１と係合して前面枠２０が開かないように施錠するための施錠部材２３，２４，２５が設けられている。この施錠部材２３，２４，２５は、パチンコ遊技機１００の正面側に配設されている鍵穴１５８（図１参照）に不図示の鍵を差し込んで所定の方向に回転することで、連動して施錠動作および開錠動作を行う。
【００２８】
なお、遊技盤１１０の後面には、各種の基板等が取り付けられ、また、これら各種の基板等は、内部が視認可能な透明のカバー５１０によって覆われている。この各種の基板等について付言すると、遊技盤１１０の後面には、メイン基板およびサブ基板が配設されている。すなわち、遊技盤１１０の後面には、メイン基板として、内部抽選および当選の判定等を行う遊技制御部が構成された遊技制御基板５２０が配設されている。この遊技制御基板５２０は、開封することにより痕跡が残るように透明部材で構成されたメイン基板ケース５４０に密封されている。
【００２９】
また、サブ基板として、演出を統括的に制御する演出制御部が構成された演出制御基板５３０、画像および音による演出を制御する画像/音響制御部が構成された画像制御基板（不図示）、および、各種のランプおよび可動役物１１５による演出を制御するランプ制御部が構成されたランプ制御基板（不図示）等が配設されている。また、遊技盤１１０の後面には、供給された２４ＶのＡＣ電源をＤＣ電源に変換して各種の基板等に出力するスイッチング電源５５０が配設されている。
付言すると、払出球の払い出し制御を行う払出制御部が構成された払出制御基板（不図示）と、払出制御基板により制御され、外部から補給された補給球を一時的に溜めておき、賞球の払い出しや貸し球の払い出しを行う払い出しユニット５６０と、が枠部材１５０の前面枠２０に配設されている。
【００３０】
図４は、前面枠２０の底面２６を部分的に示す図である。同図の（ａ）は、底面２６の斜視図であり、（ｂ）は、（ａ）の線IVb−IVbによる断面図である。
同図に示すように、前面枠２０の底面２６は、スイッチング電源５５０（図３参照）の電源ケース部材２７と、外枠１０に取り付けられた外枠ケース部材２８と、を含んで構成されている。
電源ケース部材２７は、遊技機１００の後ろ側に位置し、外枠ケース部材２８は、遊技機１００の前側に位置している。また、電源ケース部材２７は、遊技球排出樋３１が位置する面である内面２７ａを有する。この遊技球排出樋３１は、遊技盤１１０の遊技領域１１１に設けられた排出口１１７（図１参照）に連通する樋部材である。
【００３１】
さらに説明すると、電源ケース部材２７には、遊技機１００の幅方向略中央部の後面寄りに形成された切欠部２９を有する。電源ケース部材２７は、切欠部２９の内周面２９ａを有する。なお、電源ケース部材２７に切欠部２９が形成されていることから、前面枠２０の底面２６に開口部が形成されているということもできる。
また、前面枠２０の底面２６には、切欠部２９の位置に、遊技球排出樋３１の下流端であるアウト口３２が配設されている。このアウト口３２は、排出口１１７（図１参照）から排出された遊技球を遊技機１００の外に放出するためのものである。
【００３２】
ここで、図４の（ｂ）から明らかなように、アウト口３２の端面３２ａの一部は、電源ケース部材２７の内面に接するように配置している。すなわち、アウト口３２は、電源ケース部材２７の厚さ分、奥まって位置している。
なお、電源ケース部材２７と外枠ケース部材２８とは互いに別部材であり、各々の縁部は互いに突き当てられて取り付けられている。すなわち、電源ケース部材２７と外枠ケース部材２８のいずれかを取り外すと、両者は分割線３６により分割されることになる。
【００３３】
さらに説明すると、切欠部２９の位置とアウト口３２の位置とが互いに一致しておらず、ずれている。このため、切欠部２９における開口領域は、アウト口３２からの遊技球を放出するための放出領域３３と、放出領域３３以外の非放出領域３４と、に分けられる。
放出領域３３は、遊技球排出樋３１を通じて排出口１１７に連通する空間であり、遊技球排出樋３１により画成される第１の内部空間の一例である。また、非放出領域３４は、遊技機１００の内部空間３５（第２の内部空間の一例）に連通する隙間であり、言い換えると、第１の内部空間以外の第２の内部空間に連通する隙間の一例である。なお、この非放出領域３４は、電源ケース部材２７と外枠ケース部材２８との組み合わせによって形成される隙間である。
【００３４】
放出領域３３は、各種の不正行為に利用され難いものの、非放出領域３４は、各種の不正行為に利用されるという事態も想定される。すなわち、この非放出領域３４である隙間を通じて、遊技機１００の内部に不正治具（不図示）を挿入することが可能になる。本実施の形態では、かかる事態に対処すべく、そのような隙間を塞ぐための部材である不正防止部材４０（図５参照）を備えている。不正防止部材４０の詳細は後述する。
付言すると、同図に示すように、底面２６には、不正防止部材４０を取り付けるための特別な構造を有していない。すなわち、不正防止部材４０は、出荷後のパチンコ遊技機１００に後付けすることが可能であり、また、組み立て完成後のパチンコ遊技機１００に取り付けた後に出荷することも可能である。
【００３５】
〔不正防止部材〕
図５は、不正防止部材４０を装着した、前面枠２０の底面２６を部分的に示す図である。同図の（ａ）は、底面２６の斜視図であり、（ｂ）は、（ａ）の線Vb−Vbによる断面図である。
同図に示すように、不正防止部材４０が底面２６に装着されると、内部空間３５に連通する非放出領域３４（図４参照）が塞がれる。このため、非放出領域３４が各種の不正行為に利用されるという事態を、不正防止部材４０によって回避することができる。
同図の（ｂ）から明らかなように、不正防止部材４０を底面２６に装着しても、底面２６から突出せず、凹凸形状が発生しない。このため、凹凸形状を不正行為に利用されることがなく、また、前面枠２０（透明板保持枠２１、遊技盤保持枠２２）を外枠１０に対して開閉動作する際に、不正防止部材４０がその開閉動作を妨げることもない。
【００３６】
続いて、不正防止部材４０の構造について説明する。
図６は、本実施の形態に係る不正防止部材４０の外観を示す斜視図である。
同図に示すように、不正防止部材４０は、不正防止部材４０の本体をなす本体部４１と、本体部４１から長さ方向の一方向（同図の奥方向）に部分的に突出する２つの突出片４２と、２つの突出片４２の各々の先端部にて部分的に幅広になるように張り出して形成される爪４３と、を備えている。また、不正防止部材４０は、２つの突出片４２の各々の根元部にてえぐられて形成された凹部４５を備えている。
【００３７】
本体部４１は、底面２６の非放出領域３４（図４参照）を塞ぐ部分である。また、２つの突出片４２は、２つの爪４３の離間距離が維持されるように働く弾性部材であり、２つの爪４３の離間距離を短くするようにたわませることが可能に構成されている。その上、２つの突出片４２のたわむ区間が、凹部４５によって長くなっている。このため、２つの突出片４２は更にたわみ易くなっている。
先端部に爪４３が形成されている２つの突出片４２は、一対に構成され、両者の協働作用により本体部４１が底面２６に取り付けられる。この意味において、突出片４２と爪４３により、本体部４１を底面２６に取り付けるための爪取り付け部４４が構成される。
より詳細に説明すると、爪４３は、突出片４２の途中から先端にわたって長さ方向に沿って形成されている。また、爪４３は、高さ方向の上端に位置していることから、突出片４２および爪４３によって爪取り付け部４４の上面４４ａが構成される。また、爪４３は、高さ方向の下端には位置しないことから、突出片４２によって爪取り付け部４４の下面４４ｂが構成される。なお、爪４３が爪取り付け部４４にて形成されている位置に鑑みると、爪４３は突出片４２の上端に形成されたリブ形状部であるということもできる。
【００３８】
また、不正防止部材４０は、本体部４１から長さ手方向の他方向（同図の手前方向）に延在する延在部４６を備えている。この延在部４６は、突出片４２が突出している方向（一方向）とは反対の方向（他方向）に延在している。また、延在部４６は、本体部４１の幅方向全幅にわたって形成されている。
また、不正防止部材４０は、延在部４６の上面４６ａに形成されたリブ４７を備えている。このリブ４７は、延在部４６の周囲縁部に形成され、また、中央部において長さ方向および幅方向に延びるように形成されている。別の見方をすると、不正防止部材４０は、延在部４６の上面４６ａに、部分的に窪んで形成されている窪み部４８を備えているということもできる。なお、延在部４６の下面４６ｂは平坦であり、リブ形状や窪み形状は形成されていない。
なお、延在部４６の上面４６ａは、爪取り付け部４４の上面４４ａよりも高さ方向の上側に位置している。また、延在部４６の下面４６ｂは、爪取り付け部４４の下面４４ｂよりも高さ方向の下側に位置している。
【００３９】
また、不正防止部材４０は、延在部４６に形成された面取り部４９を備えている。この面取り部４９は、延在部４６の先端部の端面の高さ寸法を減少するように形成されている。面取り部４９によって、延在部４６は、端面に近づくに従って高さ寸法が所定の割合で減少していく。すなわち、不正防止部材４０は、底面２６の非放出領域３４（図４参照）へ挿入する際の挿入先端部にテーパー形状部を有する。
なお、面取り部４９は、延在部４６の下面４６ｂに形成されている。また、面取り部４９は、本体部４１の幅方向全幅にわたって形成されている。
【００４０】
このように構成されている不正防止部材４０において、幅方向の中心線に関して略左右対称となる形状である一方で、長さ方向および高さ方向に関して対称形状ではない。このため、不正防止部材４０は、後述するように、取り付けに関する方向性を有しない。
また、爪取り付け部４４の高さ方向の寸法は、延在部４６の高さ方向の寸法よりも大きい。さらに説明すると、爪取り付け部４４の高さ方向の寸法値は、底面２６の非放出領域３４（図４参照）に差し込むことができるように決定されている。その一方で、延在部４６の高さ方向の寸法値は、底面２６の非放出領域３４に差し込むことができないように決定されている。このため、延在部４６は、底面２６の非放出領域３４（図４参照）に差し込むことができるものの、爪取り付け部４４は、底面２６の非放出領域３４に差し込むことができない。
【００４１】
また、延在部４６の長さ方向の寸法は、爪取り付け部４４の長さ方向の寸法よりも大きい。また、延在部４６の長さ方向の寸法は、底面２６の非放出領域３４（図４参照）の寸法に比べて大きい。すなわち、底面２６の非放出領域３４（図４参照）から挿入される部分である延在部４６の寸法を比較的大きくしている。その一方で、底面２６の非放出領域３４から挿入されない爪取り付け部４４は、底面２６に装着した状態で切欠部２９に収まるように、比較的小さく形成されている。
【００４２】
次に、不正防止部材４０の取り付けについて説明する。
図７〜図９は、不正防止部材４０の取り付け手順を示す斜視図である。すなわち、図７の（ａ）、同図の（ｂ）、図８の（ａ）、同図の（ｂ）、図９の（ａ）および同図の（ｂ）の順に時系列的に取り付け手順を図示している。なお、図７〜図９は、前面枠２０の底面２６を下から見上げた状態の斜視図である。
まず、図７の（ａ）に示すように、底面２６の切欠部２９における非放出領域３４に不正防止部材４０を挿入する。すなわち、不正防止部材４０の延在部４６を、面取り部４９を前にした状態で非放出領域３４に差し込む。すると、同図の（ｂ）に示すように、延在部４６が内部空間３５（図４の（ｂ）参照）に位置するようになる。このように、面取り部４９は、不正防止部材４０を非放出領域３４に差し込む時のガイド的な役割を担っている。
ここで、本体部４１および爪取り付け部４４は、非放出領域３４に差し込むことができないため、作業者（不図示）は、底面２６を目で直接見ずに不正防止部材４０の取り付け作業を行っても、取り付け誤りを防ぐことができる。また、不正防止部材４０のすべてが内部空間３５（図４の（ｂ）参照）に入り込んで作業者の手から離れてしまうという事態を防ぐことができる。
【００４３】
そして、図８の（ａ）に示すように、不正防止部材４０の一対の爪取り付け部４４を手に持って、爪取り付け部４４の相互の離間距離が短くなるように、同図の（ａ）に図示の矢印方向にたわませる。このようにして、一対の突出片４２の各々に形成されている爪４３相互の離間距離が、切欠部２９の寸法よりも小さくなるようにする。
その後、同図の（ｂ）に示すように、一対の爪４３を切欠部２９の内周面２９ａに当接させると、作業者が爪取り付け部４４から手を離しても、不正防止部材４０が底面２６から脱落しないようになる。そして、不正防止部材４０を同図の（ｂ）に図示の矢印方向に回転させる。すると、一対の爪４３が切欠部２９の内周面２９ａに当接した状態で遊技球排出樋３１の方向に近づいていく。
【００４４】
そして、一対の爪４３が切欠部２９の内周面２９ａよりも奥側に作業者（不図示）が手で移動すると、図９の（ａ）に示すように、それまで爪取り付け部４４をたわませる方向に作用していた力が作用しなくなる。すると、爪取り付け部４４は、同図の（ａ）に図示の矢印方向に移動し、突出片４２が切欠部２９の内周面２９ａに当接することになる。このときの突出片４２と内周面２９ａとの衝突は、わずかながら感覚（クリック感）として作業者の手（不図示）に伝わる。したがって、作業者は、底面２６を目で見ながら取り付け作業を行わなくても作業が円滑に進んでいることを認識することが可能になり、作業性を向上させることが可能になる。
さらに説明すると、不正防止部材４０を、一対の爪４３が上側に位置し、一対の突出片４２が下側に位置するように非放出領域３４に差し込んだ場合には、一対の爪４３が切欠部２９の内周面２９ａを乗り越えて一対の突出片４２が内周面２９ａに当接することで、作業者にクリック感が伝わる。その一方で、不正防止部材４０を逆方向にして非放出領域３４に差し込んだ場合には、作業者にそのようなクリック感が伝わらない。本実施の形態では、このような観点からも、作業者は手探り状態で作業を進めることができ、作業性を向上させることが可能になる。
【００４５】
同図の（ｂ）に示すように、不正防止部材４０が底面２６に装着されると、一対の爪４３が電源ケース部材２７の内面２７ａ（図４の（ｂ）参照）に引っ掛かることにより、不正防止部材４０は底面２６に固定される。
また、不正防止部材４０が底面２６に装着されると、本体部４１が端面３２ａ（図７の（ｂ）参照）を隠すように位置する。そのため、不正防止部材４０が不正治具によって強く押されたとしても、不正防止部材４０が外れることを防止することができる。
また、不正防止部材４０において、延在部４６は本体部４１ないし爪取り付け部４４よりも長く形成されている。このため、取り付けた後に不正防止部材４０がぐらつくことを防止している。
【００４６】
このように、上述した本実施の形態では、底面２６に加工しなくても不正防止部材４０を取り付けることができ、また、底面２６に不正防止部材４０が取り付けられることによって切欠部２９における非放出領域３４からの不正治具の進入を抑制することができる。
【図面の簡単な説明】
【００４７】
【図１】本実施の形態に係るパチンコ遊技機の概略正面図である。
【図２】本実施の形態に係るパチンコ遊技機を説明する図である。
【図３】枠部材の構成を説明する斜視図である。
【図４】前面枠の底面を部分的に示す図である。
【図５】不正防止部材を装着した、前面枠の底面を部分的に示す図である。
【図６】本実施の形態に係る不正防止部材の外観を示す斜視図である。
【図７】不正防止部材の取り付け手順を示す斜視図である。
【図８】不正防止部材の取り付け手順を示す斜視図である。
【図９】不正防止部材の取り付け手順を示す斜視図である。
【符号の説明】
【００４８】
２０…前面枠、２６…底面、２７…電源ケース部材、２７ａ…内面、２８…外枠ケース部材、２９…切欠部、２９ａ…内周面、３１…遊技球排出樋、３２…アウト口、３２ａ…端面、３３…放出領域、３４…非放出領域、３５…内部空間、４０…不正防止部材、４１…本体部、４２…突出片、４３…爪、４４…爪取り付け部、４６…延在部、４９…面取り部、１００…パチンコ遊技機
【図１】
2010136939.tif 000003
【図２】
2010136939.tif 000004
【図３】
2010136939.tif 000005
【図４】
2010136939.tif 000006
【図５】
2010136939.tif 000007
【図６】
2010136939.tif 000008
【図７】
2010136939.tif 000009
【図８】
2010136939.tif 000010
【図９】
2010136939.tif 000011